(57)【特許請求の範囲】
【請求項１】
容器本体と、容器本体の前面を覆う被覆部とを備え、
被覆部は、分離線にて左右に区画された残存部と分離部とを備え、残存部は、開封後本体表面に残存し、分離部は開封により開かれる蓋体となるものであり、分離部が左右に張り出す係止部分を備え、残存部と容器本体表面との間へ係止部分が差し込まれる差込形成部を備えたシート状体からなる容器において、
被覆部は、被覆部本体と、折り目線を介して被覆部先端に延設された折り返し部とを備え、
この折り返し部は、上記折り目線から裏側上方に折り返されて、裏面が上方の被覆部本体裏面に重ねられたものであり、
分離部は、折り返し部に上記の係止部分を配置し、上記折り目線の上方に上記係止部分より左右の幅が狭い幅狭部を備え、
残存部は、上記折り返し部において、上記の差込形成部の先端に延設されてこの差込形成部の裏側に折り返された接着部を備え、この接着部と上記分離部の係止部分とは分離線にて画され、
上記折り返し部が裏側上方に折り返されたものであって、上記折り返し部における分離部の裏面先端が幅狭部の裏面に接着され且つ容器本体には接着されていないものであり、上記折り返し部における残存部の上記接着部が本体表面に接着されたものであり、
開封時、幅狭部を摘んで、残存部の接着部が重ねられた位置から分離部を分離することによって、上記分離部は、幅狭部の裏面に上記折り返し部における分離部の裏面先端が接着された状態で、上記残存部から分離され、上記係止部分が幅狭部から露出した状態となり、
上記残存部は、上記差込形成部の裏側に折り返された上記接着部が、容器本体の表面に接着された状態を維持するものであり、
開封後に蓋体となった分離部によって再度容器本体の蓋をする際、上記折り返し部における残存部の上記接着部が容器本体表面に接着された状態で、上記幅狭部の裏面から左右に露出した上記係止部分が、上記差込形成部と容器本体との間の隙間に差し込まれるものであることを特徴とするシート状体からなる容器。
【請求項２】
上記の接着部の先端には、分離線にて上記係止部分と区画された引っ掛かり片を備え、
開封後に蓋体となった分離部によって再度容器本体の蓋をする際、上記折り返し部における残存部の上記接着部が容器本体表面に接着された状態で、上記幅狭部の裏面から左右に露出した上記係止部分が、上記引っ掛かり片を乗り越えて、上記差込形成部と容器本体との間の隙間に差し込まれ、上記引っ掛かり片が差込部に差し込まれた係止部分と引っ掛かるものであることを特徴とする請求項１記載のシート状体からなる容器。
【発明の詳細な説明】
【技術分野】
【０００１】
本願発明は、シート状体からなる容器容器に関するものである。
【背景技術】
【０００２】
【特許文献１】特許第３８７１６９２号公報
【特許文献２】特開２００７−６２８２７号公報
【０００３】
従来より、一枚の紙片を折って糊付けすることにより、形成された紙製の容器が、広く利用されている。そして、容器本体と一体に形成された蓋を備えることにより開封後に当該蓋にて開口部を閉鎖することができる紙箱が、粉末洗剤などの容器として使用されている。
この容器として、開封後、蓋による開口部の閉鎖を確実に行うために、上記の特許文献１や特許文献２に見られるような、開封後、開口部を閉鎖した状態にて、蓋を固定する手段を備えたものが提案されている。
【０００４】
特許文献１の容器の、開封前の状態を図１０へ、開封時の状態を図１１へ、開封後折り曲げ片９５を折り曲げた状態を図１２へ、開封容器の開口部を閉ざした状態を図１３へ示す。
図１０及び図１１を見れば分かるように、この容器は、上面に開口部８３を備えた容器本体部１と、この容器本体部１の上面３１及び前面４１に重ねられてその一部が接着された被覆部１００とを備え、被覆部１００は、容器本体部１と接着される残存部２１と、開口部８３を形成するために残存部２１から分離される分離部１１とを備える。分離部１１は、折り目線９８を介して区分された分離部本体１０３と折り曲げ片９５とを備える。開封前、図１０へ示す通り、折り曲げ片９５は、伸ばされ、残存部２１と一体となっている。１０７は、容器本体の前面４１に接着された被係止部を示している。この被係止部１０７は、開封前の分離部１１と、図上矩形に現れている分離線でつながっている。
【０００５】
図１１へ示す通り、分離部１１が、基端を残して残存部２１から切り離されることにより、容器の開封が行われる。折り曲げ片９５は、開封にて、分離部１１の一部として、残存部２１から分離される。
図１２へ示す通り、開封にて、切り離された折り曲げ片９５は、上記折り目線９８から折り曲げられ、分離部本体１０３と重ねられる。折り曲げ片９５は、このように重ねられた状態で分離部本体１０３からはみ出す差込部９６，９６を備える。上記の被係止部１０７は、開封により、上記矩形の分離線にて分離部から分離し、容器本体の前面４１に残る。その結果、分離部１１には、表面から裏面に打ち抜かれた、矩形の窓部１０８が形成される。また、折り返された折り曲げ片９５の先端は、係止部９７となる。
【０００６】
容器本体の前面４１と残存部２１とが、被差込部を構成し、開封後の容器の閉鎖に際し、両者の間へ、図１３へ示す通り、上記の差込部９６，９６が上方より差し込まれる。
差込部９６，９６が、上記被差込部へ差し込まれることにより、被係止部１０７が当りとなって、係止部９７と当接して、後退が阻止される。即ち、被係止部１０７に係止部９７が係止され、差込部９６，９６が被差込部から上方に抜けるのを防ぐ。
【０００７】
上記の通り、この容器の供給者において、消費者が、上記の通り、開封により、分離部から分離した後、折り曲げ片９５を折り目線９８にて折り曲げて、係止部が被係止部へ係止されるようにして容器を使用することを、意図したものである。
ところが、上記容器に詰められた商品を購入した多くの消費者について、商品使用時の動向を調べたところ、容器開封後、容器を閉じる際、上記の図１１へ示す折り曲げ片９５を折り曲げずに伸ばしたままの状態で、差込部９６，９６を、上記の被差込部へ差し込んで使用していることが分かった。
これは、容器に付された取り扱い説明を読んでいなかったり、いちいち折り曲げて、係止部の位置を正しい位置に配置するのが、面倒なためである。
【発明の開示】
【発明が解決しようとする課題】
【０００８】
しかし、上記のように、折り曲げ片９５を折り曲げて、被係止部１０７に係止される正しい位置に係止部９７を配置してやらないと、差込部９６，９６が被差込部から簡単に抜けて、開口部８３を覆う分離部１１が、上方へ開いてしまう。また、差込部９６，９６自体も、被差込部を通り抜けてしまい、そもそも適切に差し込まれた状態にすることは困難である。
【０００９】
また、上記従来の容器において、図１１に示す通り、開封により、表裏に貫通する窓部１０８が穿たれることになり、開封後蓋として機能する分離部の強度を低下させ、当該部分を弱くしてしまう。また、当該窓部１０８の断面から、水分が分離部内部に浸透して、この点でも、紙の強度が低下し、弱くなる。
【００１０】
本願発明は、このような消費者に面倒な作業をさせずに、開封後の開口部の閉鎖を確実に行わせることが可能な容器の提供を図るものである。
また、本願発明は、開封により蓋として機能する分離部に、強度を弱める貫通部分を形成せずに、上記の閉鎖を確実に行わせることを可能な容器の提供を図る。
尚、上記背景技術の欄及び当該発明が解決しようとする課題の欄において記した、各部材の番号は、当該背景技術の欄における説明にのみ用いるものであり、以下の発明の開示において用いる各部材とは無関係である。
【課題を解決するための手段】
【００１１】
本願発明は、容器本体と、容器本体の前面を覆う被覆部とを備え、被覆部は、分離線にて左右に区画された残存部と分離部とを備え、残存部は、開封後本体表面に残存し、分離部は開封により開かれる蓋体となるものであり、分離部が左右に張り出す係止部分を備え、残存部と容器本体表面との間へ係止部分が差し込まれる差込形成部を備えたシート状体からなる容器を改良する。
【００１２】
請求項１の発明にあっては、被覆部は、被覆部本体と、折り目線を介して被覆部先端に延設された折り返し部とを備え、この折り返し部は、上記折り目線から裏側上方に折り返されて、裏面が上方の被覆部本体裏面に重ねられたものであり、分離部は、折り返し部に上記の係止部分を配置し、上記折り目線の上方に上記係止部分より左右の幅が狭い幅狭部を備え、残存部は、上記折り返し部において、上記の差込形成部の先端に延設されてこの差込形成部の裏側に折り返された接着部を備え、この接着部と上記分離部の係止部分とは分離線にて画され、上記折り返し部が裏側上方に折り返されたものであって、上記折り返し部における分離部の裏面先端が幅狭部の裏面に接着され且つ容器本体には接着されていないものであり、上記折り返し部における残存部の上記接着部が本体表面に接着されたものであり、開封時、幅狭部を摘んで、残存部の接着部が重ねられた位置から分離部を分離することによって、上記分離部は、幅狭部の裏面に上記折り返し部における分離部の裏面先端が接着された状態で、上記残存部から分離され、上記係止部分が幅狭部から露出した状態となり、上記残存部は、上記差込形成部の裏側に折り返された上記接着部が、容器本体の表面に接着された状態を維持するものであり、開封後に蓋体となった分離部によって再度容器本体の蓋をする際、上記折り返し部における残存部の上記接着部が容器本体表面に接着された状態で、上記幅狭部の裏面から左右に露出した上記係止部分が、上記差込形成部と容器本体との間の隙間に差し込まれるものであることを特徴とするシート状体からなる容器を提供する。
【００１３】
本願の請求項２の発明にあっては、上記接着部の先端には、分離線にて上記係止部分と区画された引っ掛かり片を備え、開封後に蓋体となった分離部によって再度容器本体の蓋をする際、上記折り返し部における残存部の上記接着部が容器本体表面に接着された状態で、上記幅狭部の裏面から左右に露出した上記係止部分が、上記引っ掛かり片を乗り越えて、上記差込形成部と容器本体との間の隙間に差し込まれ、上記引っ掛かり片が差込部に差し込まれた係止部分と引っ掛かるものであることを特徴とする請求項１記載のシート状体からなる容器を提供する。
【発明の効果】
【００１４】
本願発明は、一枚のシート状体にて形成された容器が備える、開封後の容器の開口部を閉鎖する分離部について、その差込部を、容器本体の被差込部へ差し込んだ状態に、係止する係止部と被係止部とを、開封前から、係止した状態にて封ずることにより、開封後、消費者に、分離部を折りこませるという面倒な作業を強いることなく、開封後係止部を適正に被係止部へ係止させることを可能とした。
具体的には、折り返し片を、幅狭部の裏面に接着しておき、開封時に、分離部を残存部から分離することにより、差込部と差込部が差し込まれる差込部とが形成され、更に差込部を被差込部に差し込んだ状態にて係止状態となる、係止部と被係止部とが形成されるものであり、折り返し部を折り返すことなく、開封した状態のまま、開封後の容器の閉鎖が行える。
更に、本願発明は、上記の構成によって差込部や被差込部を形成するものであり、開封によって、差込部や被差込部を機能できる状態にするために、開封後蓋として利用される分離部について表裏に貫通する貫通部分を形成するものでなく、当該蓋として利用する分離部の強度を低下させない。このような貫通部の排除により、貫通部の断面から水分がシート状体の内部に浸透して、蓋の強度や容器の他の部分の強度を低下させるという危惧もない。
【発明を実施するための最良の形態】
【００１５】
以下、図面に基づき本願発明の実施の形態を説明する。
図１乃至図７へ、本願発明の一実施の形態を示す。図１は、本願発明に係る容器を構成するシート状体の展開平面図である。図２は、図１のシート状体を用いて容器を形成する過程を示す斜視図である。図３は、図２に続く容器を形成する過程を示す斜視図である。図４（Ａ）は完成した容器の斜視図であり、図４（Ｂ）はその要部断面図である。図５は、図４の容器を開封した状態を示す斜視図である。図６は、開封後の容器の開口部を閉鎖する過程を示す斜視図である。図７（Ａ）は図６の状態の容器の要部正面図であり、図７（Ｂ）は容器の開口部を閉鎖した状態を示す要部正面図であり、図７（Ｃ）は図７（Ａ）に示す台部を変更した状態を示す容器の要部正面図であり、図７（Ｄ）は図７（Ｂ）に示す残存部と分離部との間の分離線の位置を変更した状態を示す容器の要部正面図である。
【００１６】
説明の便宜上、図１のシート状体からなる容器の展開平面図において、ｆはシートの前方を示し、ｂはシートの後方を示し、ｌはシート左方を示し、ｒはシートの右方を示す。また、図２〜図７において、Ｆは容器の前方を示し、Ｂは容器の後方を示し、Ｕは容器の上方を示し、Ｓは容器の下方を示し、Ｌは容器の左方を示し、Ｒは容器の右方を示す。尚、展開状態のシートについての上記の各方向ｂ，ｆ，ｌ，ｒ，ｕ，ｓは、専ら図１の説明において用いるものであり、組み立て状態の容器の上記の各方向Ｂ，Ｆ，Ｌ，Ｒ，Ｕ，Ｓとは、直接関係はない。
更に、本願の各図において、特別な断りがない限り、２点鎖線はミシン目を示し、破線は、折り目線を示す。図７において、一点鎖線は、隠れ線を示す。折られた後の折り目線や、切り取られた後のミシン目は、実線で示す。尚、図４（Ａ）は、開封前と開封後の説明に用いるため、切り取りの如何にかかわらず、ミシン目は用いずに、全て実線で示す。
尚、図１は、容器の表面を構成するシートの表面を示すものとし、当該表面と反対側の面がシートの裏面として説明する。
【００１７】
この実施の形態に係る紙製容器は、全体が６面体をなすもので、粉末洗剤などの微細な粒子を収納するのに適した容器であるが、被収納物は適宜変更して実施し得る。また容器の全体形状についても、６面体の他、４面体、８面体など適宜変更し得る。また、容器の材質は、本例のような紙製に限られたものではなく、シート状体であれば、樹脂などからなるものであっても良い。ただし、樹脂製シートを用いた場合は、紙とは異なり層間剥離をさせることができないためにハーフカットは採用できず、シート状体の切断はミシン目によって単純に２分割されるものとなる。
【００１８】
この容器は、図１に示すように、容器の前面と上面と下面と後面とを構成する、上面部３１、前面部４１、下面部５１、後面部６１、上被覆部１１、前被覆部２１が折り目線を介して連設されている。
具体的に説明する。容器を構成するシート状体は、図１へ示す通り、裏面が上面部３１の表面に接着される上被覆部１１と、前面部に接着される上記の前被覆部２１とを備える。展開状態にあって、上面部３１は第1折り目線ｍ１を挟んで前面部４１の後端から後方ｂへ延設され、下面部５１は第２折り目線ｍ２を挟んで前面部４１の先端から前方ｆへ延設され、後面部６１は第３折り目線ｍ３を挟んで下面部５１の先端から前方ｆへ延設され、上記の上被覆部１１は第４折り目線ｍ４を挟んで上記の後面部６１の先端から前方ｆへ延設され、前被覆部２１は第５折り目線ｍ５を挟んで上被覆部１１の先端から前方fへ延設されている。
【００１９】
上面部３１は、第1分離線ｐ１（後述する第１及び第２カット８１，８２にて二条に構成されている。）にて左右に区画された、蓋領域（後述する本体上分離部８４）と、上面本体領域３１ａとを備える。少なくとも上被覆部１１は、第２分離線ｐ２にて左右に区画された、裏面が上面部の蓋領域に接着される上被覆分離部１３と、裏面が上面部３１の上面本体領域３１ａに接着される上被覆残存部１２とを備える。前被覆部２１は、第５折り目ｍ５を挟んで上被覆部１１の上記上被覆分離部１３の先端から前方へ延設された前被覆分離部２３と、第５折り目線ｍ５を挟んで上被覆部１１の上記上被覆残存部１２の先端から前方へ延設された前被覆残存部２２を、第２分離線ｐ２から延長された第３分離線ｐ３を介して備える。この実施の形態では、上被覆分離部１３の左右に、上被覆残存部１２，１２が、夫々第２分離線ｐ２，ｐ２を介して配設されており、前被覆分離部２３の左右に、前被覆残存部２２，２２が、夫々第３分離線ｐ３，ｐ３を介して配設されている。
【００２０】
上記の前被覆分離部２３は、前分離本体部１０３と、第８折り目線ｍ８を介して前分離本体部１０３の先端に延設され且つ横幅が前被覆分離部２３の前分離本体部１０３より狭くなる幅狭部９７と、第６折り目線ｍ６を介して幅狭部９７の先端から前方へ延設されたガイド部構成片９５とからなる。このガイド部構成片９５が、請求項の「折り返し部」、「折り返し片」、「指掛け片」に対応する。
第１〜第６及び第８の各折り目線ｍ１〜ｍ６，ｍ８同士は、平行である。
ガイド部構成片９５の左右の幅は、幅狭部９７の左右の幅よりも、大きく、ガイド部構成片９５の、上記幅狭部９７よりも左右に入り張り出した部位が、差込部９６，９６を構成する。この差込部９６，９６が請求項の「係止部分」及び「係止部」と対応する。
差込部９６，９６の先端縁は、第６折り目線ｍ６と平行であり、差込部９６，９６の左右側辺は、前方に進むにつれて（先端縁に近づくにつれて）、ガイド部構成片９５の左右の幅を漸次大きくするように、テーパを持つ或いはカーブするように形成されている。
ガイド部構成片９５の裏面は、幅狭部９７の裏面へ接着されるものである。この実施の形態において、第６折り目ｍ６は、左右方向の中央に設けられたスリット９９によって左右に分断されている。
前被覆残存部２２は、上記の第５折り目線ｍ５を介して上被覆残存部１２から延設された押さえ片構成部２２ａと、第７折り目線ｍ７を介して押さえ片構成部２２ａの先端から前方へ延設された台部構成片２２ｂとからなる。この押さえ片構成部２２ａが、請求項１及び請求項２の「差込形成部」と対応する。
台部構成片２２ｂは、ガイド部構成片９５の前方に位置する被係止部構成片９８を備えたものである。前被覆分離部２３の左方に位置する前被覆残存部２２の台部構成片２２ｂが備える被係止部構成片９８は、前被覆分離部２３の左方より右方へ張り出して、ガイド部構成片９５の左側の差込部９６の前方へ位置する。前被覆分離部２３の右方に位置する前被覆残存部２２の台部構成片２２ｂが備える被係止部構成片９８は、前被覆分離部２３の右方より左方へ張り出して、ガイド部構成片９５の右側の差込部９６の前方へ位置する。被係止部構成片９８，９８は、夫々第３分離線ｐ３，ｐ３から延長された第４分離線ｐ４，ｐ４にて、ガイド部構成片９５の差込部９６，９６と、区画されている。
カイド部構成片２２ｂ，２２ｂの表面は、夫々、前面部４１の表面に接着されるものである。
上記の台部構成片２２ｂが、請求項の「接着部」、「接着用片」に対応し、上記の被係止部構成片９８が、請求項１〜３の「引っ掛かり片」、「被係止部」と対応する。また、被係止部構成片９８において、第４分離線ｐ４にて、差込部９６と区画された縁が、請求項２の「引掛部」と対応する。
【００２１】
上面部３１、前面部４１、下面部５１、後面部６１の左右両側には、それぞれ左上面フラップ７１、右上面フラップ７２、左前面フラップ７３、右前面フラップ７４、左下面フラップ７５、右下面フラップ７６、左後面フラップ７７、右後面フラップ７８が折り目線ｎを介して連設されており、これらで容器本体部１０ａが形成される（図２〜図４参照）。これらの各部は、折り目線ｎから９０度に折り曲げられることによって、直方体が形成される。その際、左上面フラップ７１、左前面フラップ７３、左下面フラップ７５、左後面フラップ７７は互いに糊付けされて、容器の左側における長方形状の開口端の閉鎖がなされ、側面部１０ｃのうち左側面部が形成される。前記の通り、図１を、容器の表面を構成するシートの表面を示すものとし、当該表面と反対側の面がシートの裏面とすると、上記にて、折り目線ｎは、シート表面について、９０度の山折にされることになる。同じく、右上面フラップ７２、右前面フラップ７４、右下面フラップ７６、右後面フラップ７８は互いに糊付けされて、容器の右側における長方形状の開口端の閉鎖がなされ、側面部１０ｃのうち右側面部が形成される。
また、上被覆残存部１２，１２の左右にも、折り目線ｎ（ｎｅ）を介して、重ね合わせフラップ７１ｚ，７２ｚが連設されている。重ね合わせフラップ７２ｚは、上被覆部１１に連続するように設けられたものであり、上面部３１に上被覆部１１が重ね合わされた際に、上面フラップ７１，７２の表面に重ね合わされるものである。以下必要に応じて、左側の上被覆残存部１２に設けられた、重ね合わせフラップ７１ｚを、左重ね合わせフラップ７１ｚと呼び、右側の上被覆残存部１２に設けられた、重ね合わせフラップ７２ｚを、右重ね合わせフラップ７２ｚと呼ぶ。
なお、本願では、糊付けとは、接着と同義語として使用し、両面接着テープ若しくは片面接着テープなどでの接着も、糊付けに含まれるものとする。
【００２２】
上記の上被覆部１１と前被覆部２１とは、全体で被覆部１０ｂを形成するもので、被覆部１０ｂは容器本体部１０ａの表面側に重ねられて糊付けされる。上被覆部１１は上面部３１の表面に重ねられて略全面若しくは部分的に接着され、前被覆部２１は前面部４１の表面に重ねられて部分的に接着される。これらの接着箇所は後述する。
【００２３】
なお、本例の容器においては、下面部５１と後面部６１の一部とに、図１に示すように、凹条である押罫５２が形成されている。容器を廃棄する際には、この押罫５２の形成された部分で各部５１，４１を折り曲げることにより、容器をコンパクトに折り畳むことが可能である。なお、この押罫５２の形成は必須のものではなく、省略しても良い。また、押罫５２の形態は図示したものに限られるものではなく、容器を折り畳みやすくするためのものであれば、ミシン目など、種々の形態での実施が可能である。
【００２４】
次に、上記の各フラップ７１〜７８による開口端（図２、図３）の閉鎖について説明する。ここで、容器の左側における開口端は、上面部３１と左上面フラップ７１との間、前面部４１と左前面フラップ７３との間、下面部５１と左下面フラップ７５との間、後面部６１と左後面フラップ７７との間にそれぞれ存在する折り目線ｎを縁辺とするものである。また、容器の右側における開口端は、上面部３１と右上面フラップ７２との間、前面部４１と右前面フラップ７４との間、下面部５１と右下面フラップ７６との間、後面部６１と右後面フラップ７８との間にそれぞれ存在する折り目線ｎを縁辺とするものである。つまり、各フラップ７１〜７８は、開口端の縁辺に設けられたシート状体とも表現できる。
【００２５】
ここで、左下面フラップ７５及び右下面フラップ７６について説明する。なお、左下面フラップ７５は右下面フラップ７６と対称の関係にあるため、代表して右下面フラップ７６について説明する。右下面フラップ７６には、右後面フラップ７８と重なり合う部分である低位部７６ａと、そうでない部分である高位部７６ｂとが形成される。この低位部７６ａと高位部７６ｂとは、プレス加工により形成されたものであって、低位部７６ａと高位部７６ｂとの間には段差である迂回部７６ｃが存在する。
【００２６】
この迂回部７６ｃは、図１などに示すように、屈曲した線分として形成されたものであって、下面部５１と右下面フラップ７６との間における折り目線ｎ（ｎｃ）に対して直交する線分として右下面フラップ７６の表面に現れた第１部分７６ｃ１と、この第１部分７６ｃ１に連続するものであり、折り目線ｎ（ｎｃ）に平行な線分として右下面フラップ７６の表面に現れた第２部分７６ｃ２と、この第２部分７６ｃ２に連続するものであり、第１部分７６ｃ１と平行な線分として右下面フラップ７６の表面に現れた第３部分７６ｃ３とからなる。
【００２７】
上記の左下面フラップ７５及び右下面フラップ７６は、図２に示すように、容器側方の開口端の下部に位置するものであるが、これに対向するようにして、開口端の上部には、左上面フラップ７１及び右上面フラップ７２が設けられている。なお、左上面フラップ７１は右上面フラップ７２と対称の関係にあるため、代表して右上面フラップ７２について説明する。
【００２８】
右上面フラップ７２表面は、低位部７２ａと、中位部７２ｂと、高位部７２ｃとからなる。中位部７２ｂは、高位部７２ｃよりも低く、低位部７２ａは、中位部７２ｂよりも低い。低位部７２ａは、表面に右重ね合わせフラップ７２ｚが重ね合わされるものであり、当該重ね合わせによって、中位部７２ｂとの段差が解消される。低位部７２ａ表面に重ね合わされた上記右重ね合わせフラップ７２ｚの表面及び中位部７２ｂ表面は、右後面フラップ７８が重ね合され、この重ね合わせによって、高位部７２ｃとの段差が解消される。低位部７２ａと中位部７２ｂとの間には段差をなす第1迂回部７２ｄが設けられ、中位部７２ｂと高位部７２ｃとの間には段差をなす第２迂回部７２ｅが設けられている。
【００２９】
両迂回部７２ｄ，７２ｅは、前述の右下面フラップ７６の迂回部７６ｃと同様、屈曲した線分として形成されたものであり、折り目線ｎ（ｎａ）と直交する第1部分と、第1部分と連続し折り目線ｎ（ｎｂ）と平行な第２部分と、第２部分と連続し折り目線ｎ（ｎａ）と平行な第３部分とにより構成される。
【００３０】
次に、上記の左下面フラップ７５及び右下面フラップ７６に対して重ね合わされる左後面フラップ７７及び右後面フラップ７８について説明する。なお、左後面フラップ７７は右後面フラップ７８と対称の関係にあるため、右後面フラップ７８について説明する。
この右後面フラップ７８の、折り目線ｎ（ｎｄ）に対向する縁辺が、重なり辺７８ａである。この重なり辺７８ａは、折り目線ｎ（ｎｄ）に対して平行であり、かつ、折り目線ｎから相対的に近い位置にある第１辺７８ａ１と、また、折り目線ｎ（ｎｄ）に対して平行であり、かつ、折り目線ｎ（ｎｄ）から相対的に遠い位置にある第３辺７８ａ３と、また、第１辺７８ａ１、第３辺７８ａ３のそれぞれに対して直交するものであって、第１辺７８ａ１と第３辺７８ａ３とを連結する第２辺７８ａ２とを有する。本例では、この重なり辺７８ａのうち、第１辺７８ａ１と第２辺７８ａ２とによって、右後面フラップ７８の角部がともに切り欠かれた形態とされている。
【００３１】
この重なり辺７８ａは、右下面フラップ７６及び右上面フラップ７２に右後面フラップ７８が重ね合わされた際において、上記の右下面フラップ７６に形成された迂回部７６ｃと、上記の右上面フラップ７２に形成された第２迂回部７２ｅとのそれぞれに対して合致するものとされている。具体的には、重なり辺７８ａのうち第１辺７８ａ１と迂回部７６ｃの第１部分７６ｃ１とが、同様に第１辺７８ａ１と第２迂回部７２ｅの第１部分とが合致し、重なり辺７８ａのうち第２辺７８ａ２と迂回部７６ｃの第２部分７６ｃ２とが、同様に第２辺７８ａ２と第２迂回部の第２部分とが合致し、重なり辺７８ａのうち第３辺７８ａ３と迂回部７６ｃの第３部分７６ｃ３とが、同様に第３辺７８ａ３と第２迂回部７２ｅの第３部分とが合致する。
なお、上記の「合致」とは、重なり辺７８ａと迂回部７６ｃ，第２迂回部７２ｅの間に隙間が保たれたものであっても良いし、隙間なく密着したものであっても良い。ただし、この密着した状態を超え、右後面ラップ７８が上面フラップ７２あるいは右下面フラップ７６の高位部７２ｃ，７６ｂに乗り上げてしまうことは、被収納物の漏れが発生する恐れがあって好ましくない。
右重ね合わせフラップ７２ｚの前端縁も、上記右上面フラップ７２の第1迂回部７２ｄと対応する形状を備える。
【００３２】
ここで、上記で説明したことを図２〜図４と共に示す。まず、図１の第１折り目線ｍ１、第２折り目線ｍ２及び第３折り目線ｍ３にて、シートを前述のように山折りにする。これによって、図２に示す状態とする。
図２へ示す状態から、折り目線ｎａ，ｎａにて左右上面フラップ７１，７２を折り、折り目線ｎｃ，ｎｃにて左右下面フラップ７５，７６を折り、更に、折り目線ｎｅ，ｎｅにて、重ね合わせフラップ７２ｚ，７２ｚを折ることによって、シートを図３の状態とする。
図３に示す状態から、第４折り目線ｍ４にて、被覆部１０ｂを、上面部３１側へ折り込む。このとき、上記の重ね合わせフラップ７２ｚ，７２ｚの夫々は、左右の上面フラップ７１，７２の低位部に接着される。そして、折り目線ｎｄ，ｎｄにて左右の後面フラップ７７，７８を折り込むことにより、上面フラップ７１，７２へ接着された重ね合わせフラップ７２ｚ，７２ｚ及び上面フラップ７１，７２の中位部へ、当該左右の後面フラップ７７，７８を重ねて接着する。
左右の後面フラップ７７，７８を重ねて接着した後、左右の前面フラップ７３，７４を折り目線ｎｂ，ｎｂにて折り込むことにより、左右の前面フラップ７３，７４を、左右の後面フラップ７７，７８の表面及び左右の上面フラップ７１，７２の高位部の上に、重ねて接着する（図４（Ａ）参照）。上記において、左右の前面フラップ７３，７４の接着のみを行い、重ね合わせフラップ７２ｚ，７２ｚや、左右の後面フラップ７７，７８の糊付けは行わずに実施することもできる。
【００３３】
このようにして、各フラップ７２，７４，７６，７８が重ねられて開口端が閉鎖された場合において、各フラップの重ね合わせ位置に、多少のずれがあっても、左右の下面フラップ７５，７６及び左右の上下面フラップ７１，７２の各迂回部の第２部分と、左右の後面フラップ７７，７８の重なり辺の第２辺とによって、せき止められて、更に、左右の重ね合わせフラップ７１ｚ，７２ｚの上記第２辺に想到する部分と、迂回部の第２部分とによって、せき止められて、粉末の内容物が、外部へ漏れ出るのを阻止できる。
【００３４】
ここで、本願発明においては、上記の各フラップにおける迂回部の形成をプレス加工にて行い、重ね合わせフラップ７１ｚ，７２ｚの重ね合わせ等によるものであることから、比較的簡易な手段で、被収納物の漏れを防止できるという利点を有するものである。
【００３５】
また、本例においては、右後面フラップ７８の角部を切り欠くことで、重なり辺７８ａに、第１辺７８ａ１、第２辺７８ａ２、第３辺７８ａ３を形成したものとし、右後面フラップ７８が重ね合わされる右下面フラップ７６や右上面フラップ７２には、上記の重なり辺７８ａと合致する迂回部が形成されたものであるが、これら重なり辺７８ａや迂回部の形状は、本例のものに限定されたものではなく、屈曲あるいは湾曲する線分として現れたものであれば良い。
右後面フラップ７８角部についての他の形状を例示すると、角部を円形に切り欠いたもの、端辺に四角形状の切り込みを形成したもの、端辺に三角形状の切り込みを形成したもの、端辺に半円形状の切り込みを形成したもの、直線状の辺が繰り返し形成されたもの、湾曲した辺が波線状に繰り返し形成されたものがあげられる。左後面フラップ７７、左上面フラップ７１や左下面フラップ７５についても上記と同様である。
【００３６】
次に、容器のその他の部分について説明する。図１に示すように、上面部３１と前面部４１には、開口部を形成するための分離線（第１分離線）が形成される。この分離線は、ミシン目などの断続線、紙の表裏に貫かれた切り目など分離できるものであればよいが、この例ではハーフカットが採用されている。より詳しくは、第１カット８１と第２カット８２とが平行に形成されており、第１カット８１が開口部の周縁を規定するもので、第２カット８２が第１カット８１の外側に形成されている。第１カット８１は容器の内側から紙の中間部分までの深さに形成されたもので、第２カット８２は容器の外側から紙の中間部分までの深さに形成されている。第１カット８１と第２カット８２とは、開口部を明ける際に、紙の中間部分で紙の層間剥離によって繋がることにより、開口されるもので、開口した際には、図５に示すように、層間剥離部分８３が開口部の周縁に形成されることとなる。このハーフカットを採用することによって、容器の紙の表裏に貫かれた部分を設けることなく分離が可能となるため、密閉性の向上と開口の容易性とを両立させることができる。なお、この例では、開口部は、上面部３１と、上面部３１に連設された前面部４１に形成されるものであるが、前面部４１には形成せずに上面部３１にのみ形成するようにしてもよい。
このように、第１カット８１及び第２カット８２によって規定された部分が、上面部３１に形成される本体上分離部８４と、前面部４１に形成される本体前分離部８５であり、両者を併せて本体分離部８６と呼ぶ。この本体分離部８６が開口部を開閉することとなる。
なお、第１カット８１、第２カット８２は直線のものを示したが、これに限らず、第１カット８１を波線にすることによって、第１カット８１の端部で人が手を切ると言った恐怖感を少なくすることができる。このように、第１カット８１や第２カット８２の具体的形状は、適宜変更し得る。
【００３７】
上面部３１と前面部４１の表面に重ねられて接着される被覆部１０ｂについても、図１に示すように、開口部と対応するようにして分離線９１が形成される。この分離線９１は、前述の、第２分離線ｐ２，ｐ２、第3分離線ｐ３，ｐ３及び第４分離線ｐ４，ｐ４によって、構成されている。分離線９１は、図４（Ａ）に示すように、被覆部１０ｂが容器本体部の表面側に重ねられた際に、容器本体部の分離線（第１カット８１及び第２カット８２）の一回り外側に位置するように形成されたもので、ミシン目などの断続線が適当であるが、分離できることを条件に適宜変更し得る。この分離線９１によって、被覆部１０ｂ（上被覆部１１及び前被覆部２１）が、残存部９２と分離部９３とに区画される。前述の通り、上被覆部１１が上被覆残存部１２と上被覆分離部１３とに区画され、前被覆部２１が、第２分離線ｐ２にて、前被覆残存部２２と前被覆分離部２３とに区画され、上被覆残存部１２と前被覆残存部２２とが、更に、上被覆分離部１３と前被覆分離部２３とが第５折り目線ｍ５を介して連続している。
【００３８】
しかして、これらの容器本体部の分離線（第１カット８１及び第２カット８２）と分離線９１とによって、開口部を開閉する蓋体１００（図４（Ａ））が形成されることとなる。この蓋体１００は、本体分離部８６と分離部９３とを接着したものであり、その基端は、後面部６１と被覆部１０ｂ（上被覆部１１）との間の第４折り目線ｍ４をヒンジ用折り目線として、容器と回動可能に連設されることとなる。このヒンジ用折り目線は、容器全体で言えば、上面と後面との間の折り目線となるが、これに限らず、他の位置にヒンジ用折り目線を設けても良い。尚、上記の蓋体１００が請求項２の蓋片に対応する。
【００３９】
前述の通り、図1の状態から、第１折り目線ｍ１乃至第３折り目線ｍ３を折って、図２の状態とする。そして、この図２に示す状態から、図３へ示すように、第６折り目線ｍ６及び第７折り目ｍ７にて、台部構成片２２ｂ及びガイド部構成片９５を、その裏面が押さえ片構成片部２２ａ及び幅狭部９７の裏面へ重なるように折り込む。このとき、ガイド部構成片９５は、幅狭部９７の裏面と糊付けされる。但し、差込部９６，９６は、何れにも接着しない。また、台部構成片２２ｂは、差込部９６，９６を避けて、押さえ片構成片部２２ａと糊付けしても良く、また、単に折り込むだけで糊付けしないものとしても良い。
分離部９３先端に第６折り目線ｍ６を介して設けられた上記のガイド部構成片９５は、容器製造時において、ガイド部構成片９５の裏面が、上記のように幅狭部９７の裏面と重ね合わされて接着され、ガイド部構成片９５と幅狭部９７と一体になっており、開封後もこの状態を維持する（開封動作及び開封後の使用については後述する）。
上記の通りガイド部構成片９５の左右の幅は、重ねられる分離部９３の上記幅狭部９７より大きく形成されているので、二つ折りにされた状態で、上記の差込部９６，９６が、幅狭部９７より左右へはみ出す。この例では、差込部９６，９６は、左右対称に、ガイド部構成片９５の左右両端に、それぞれ形成される。
幅狭部９７より左右にはみ出した差込部９６，９６は、台部構成片２２ｂ，２２ｂと共に、押さえ片構成部２２ａ，２２ａへ重ねられるのであるが、上記の通り、差込部９６，９６は、押さえ片構成部２２ａ，２２ａに接着はされないのである。
【００４０】
第５折り目線ｍ５が山折りにされて、図４（Ａ）へ示す通り、前被覆部２１が、容器本体の前面部４１に配設される。このように、図３に示す状態から図４（Ａ）へ示す状態にするに際して、台部構成片２２ｂ，２２ｂの表面は、容器本体の前面部４１表面に糊付けされる。但し台部構成片９５の表面は、容器本体の前面部４１の表面には接着されない。
【００４１】
また、上記にて、本体上分離部８４と上被覆分離部１３とは重ねられて接着されるが、第２カット８２と分離線９１との間の部分は接着されない。また、本体前分離部８５と前被覆分離部２３は重ねられて接着されるが、第２カット８２と分離線９１との間の部分は接着されない。また、残存部９２（上被覆残存部１２と前被覆残存部２２）は、容器本体部、即ち、上面部３１及び前面部４１に接着される。前被覆分離部２３は、本体前分離部８５と接着されるが、本体前分離部８５以外の前面部４１とは接着されない。
【００４２】
以上のように構成されたこの実施の形態の容器は、夫々の折り目線が折られて各部が必要に応じて糊付けされることによって、図４（Ａ）に示す容器が完成される。
【００４３】
次に、この容器の開封について説明する。
この容器を開封するに際しては、図４（Ａ）に示す幅狭部９７の下端（先端９７ａ）から、その裏側に位置するガイド部構成片９５に指を差し込み、幅狭部９７と一体になっているガイド部構成片９５を手前上方に引き上げる。
このとき、ガイド部構成片９５が、第４分離線ｐ４にて台部構成片２２ｂから切り離され、幅狭部９７が、第３分離線ｐ３にて押さえ片構成部２２ａから切り離される。これにて、第８折り目線ｍ８を中心にして、ガイド部構成片９５と幅狭部９７とは、下方から前方へ起立する。そのまま、ガイド部構成片９５と幅狭部９７とを引き上げ続けると、前被覆分離部２３が第３分離線ｐ３にて押さえ片構成部２２ａから、更に、上被覆分離部１３が第２分離線ｐ２にて、上被覆残存部１２から、切り離される。即ち、上記の引き上げ動作によって、図５へ示す通り、分離部９３と、これに接着された本体分離部８６とが、第２分離線ｐ２、第１カット８１及び第２カット８２に沿って開かれる。これにより、蓋体１００が形成され、この蓋体１００はヒンジ用折り目線である第４折り目線ｍ４を中心として回動して開閉するものとなる。この蓋体１００は、本体上分離部８４と上被覆分離部１３とが接着された上面蓋部と、本体前分離部８５と前被覆分離部２３とが接着された前面蓋部とを備えるものとなる。
【００４４】
上記の開封により、上記の通り、ガイド部構成片９５が、第４分離線ｐ４にて台部構成片２２ｂから切り離されて、ガイド部９５となる。幅狭部９７の裏面へ一体に形成されているガイド部９５は、幅狭部９７の裏面から後方へ隆起する部位といえる。また、台部構成片２２ｂは、上記の通りガイド部構成片９５が切り離されることにより、台部２２ｂとなり、その被係止部構成片９８が被係止用部９８となる。また、前被覆分離部２３が、第３分離線ｐ３にて押さえ片構成部２２ａから切り離されることにより、押さえ片構成部２２ａが、押さえ片２２ａとなる。
上記の差込部９６，９６の上端が、係止部９６ａ，９６ａを構成し、容器本体の前面部４１に接着されている上記の台部２２ｂの被係止用部９８下端が、被係止部（被係止端）を構成する。
【００４５】
次に、この蓋体１００を閉じて、開口部を閉鎖する場合について説明する。
図６及び図７（Ａ）へ示す通り、幅狭部９７の先端を下方に向けて、左右の押さえ部２２ａ，２２ａの間へ降下させる。このとき、差込部９６，９６は、一旦、台部２２ｂ，２２ｂの被係止用部９８に乗り上げて、台部２２ｂの被係止用部９８表面（前面）と、押さえ片２２ａ，２２ａの裏面（後面）との間に、差し込まれる。そして、台部２２ｂの被係止用部９８裏面（前面）に沿って、更に幅狭部９７を降下させると、差込部９６，９６は、台部２２ｂの被係止用部９８を乗り越えて後方Ｂへ移動し、差込部９６，９６は、容器本体の前面部４１と押さえ片２２ａの裏面（後面）との間に差し込まれる。このように後方Ｂへ移動するのは、差込部９６は、押さえ片２２ａの弾性によって、後方Ｂに向けて、付勢されているからである。そして、幅狭部９７を更に降下させようとすると、差込部９６，９６が、台部２２ｂと押さえ片２２ａとを繋ぐ折り目（第７折り目線ｍ７）と当接して、それ以上、幅狭部９７を降下させることができなくなる。このようにして、図７（Ｂ）へ示す通り、容器の正面視において、両押さえ片２２ａ，２２ａの間に、幅狭部９７が配置される。そして、このように幅狭部９７が位置された状態において、図４（Ｂ）へ示す通り、差込部９６は、押さえ片２２ａの裏面と、容器の前面部４１との間に挟まれる。この状態において、係止部である差込部９６，９６の上端９６ａ，９６ａが、被係止部である台部２２ａの被係止用部９８の下端２２ｃ，２２ｃと当接する。即ち、係止部が、被係止部へ係止され、幅狭部９７は、上方へ後退することができなくなる。このようにして、ガイド部９５は、開封後の開口部の閉鎖にて、図４（Ａ）に示す開封前（のガイド部構成片９５であったとき）と、同様の配置を採り、容器本体の前面（前面部４１表面）と当接する。
この例では、差込部９６がガイド部９５の左右両側に設けられており、被差込部もこれに応じて、左右両側に設けられるが、差込部９６、被差込部を左右いずれか一方のみに設けるようにしてもよい。
【００４６】
このように、係止部が被係止部へ係止された場合では、誤って分離部９３のみを持って容器を持ち上げてしまった場合でも、容器本体部に対して分離部９３が係止されているため、粉末洗剤などの被収納物をこぼしてしまう可能性を低減できる。
【００４７】
更に、上記において、幅狭部９７が、ガイド部９５の厚み分、容器の前面部４１より前方に位置する。また、差込部が図４（Ｂ）へ示す位置に納まり、台部２２ｂに重ねられた押さえ片２２ａは、台部２２ｂの厚み分容器の前面部４１より前方へ位置する。これらの各部は、一枚のシートにて形成されているので、上記の各厚みは全て同じ大きさであり、押さえ片２２ａの表面と、図７（Ｂ）へ示す通り、左右の押さえ片２２ａ，２２ａに挟まれた幅狭部９７の表面とが、前後方向について、無ほぼ同じ面を構成し、見栄えがよく、また、両者に跨る絵柄や説明書きを印刷することもできる。
【００４８】
開封後上記の動作にて閉ざした蓋を、再び開けるときは、開封時と同様の動作、即ち、幅狭部９７を摘んで、第８折り目線ｍ８を中心にして先端を回動することにより、押さえ片２２ａの弾性に抗して、押さえ片２２ａを前方へ押し広げつつ、差込部９６を、押さえ片２２ａから上方へ引き抜けばよい。
【００４９】
上述してきた例では、容器の２つの面に渡って（上面と前面とに）蓋体１００を設けたが、容器の１つの面にのみ蓋体１００を設けることも可能である。
図示はしないが、例えば、開口部を上面（或いは前面）のみに設けるものとし、これに対応して、蓋体１００を上面（或いは前面）のみに設けるものとして実施することができる。
この場合、被覆部において、前被覆部は不要となるが、シートには、前被覆分離部２３に相当する部位を設けておく。このような分離部を設けて第５折り目線ｍ５を備えておくことによって、当該第５折り目線ｍ５にて、蓋を屈伸させることができ、差込部の被差込部への挿入を円滑に行うことができるからである。
また、この場合、蓋体１００は、ヒンジ用折り目線に対して、垂直方向に切り取られるようにしても良いし、斜め方向に切り取られるようにしても良い。
更にまた、上記に説明した例では、上面部３１に対して被覆部１０ｂが重ね合わされるものであったが、それ以外に、上面部３１を省略し、上被覆部１１のみで容器の上面を構成するものとしても良い。
【００５０】
図１にて現れる面をシートの表面として説明したが、この表面は、化粧面として形成されている。一方、シートの裏面側は、化粧面ではないので、見栄えが悪く、その露出は、抑えたい。しかし、図７（Ａ）へ示す通り、台部２２ｂは、シートの裏面側を容器の前面に向けるものである。そこで、図１に示す状態において台部構成片２２ｂの前後ｆ，ｂの幅を、前被覆残存部２２ａの、幅狭部９７に向けて横方向に伸びる部分の前後の幅と、同じか小さいものとすることにより、図７（Ｃ）へ示す通り、容器形成後、容器の正面視において、台部２２ｂの大半を、押さえ片２２ａに隠すことができる。
【００５１】
例えば、図８に示す通り、台部構成片２２ｂの前後ｆ，ｂの幅を、前被覆残存部２２ａの、上記の幅狭部９７に向けて横方向に伸びる横伸長部２３ｄの前後の幅と、ほぼ同じものとして形成して、容器形成後、台部２２ｂを押さえ片２２ａの後ろに隠すことができる。上記の他、この図８に示す実施の形態では、左右の下面フラップ７５，７６の高位部と低位部の位置が、図１に示すシートと逆になっており、図１の後面フラップ７７，７８の縁片に設けられていた第１〜第３辺といった形態が、この後面フラップ７７，７８に代えて、前面フラップ７３，７４の縁辺に形成されており、前面フラップ７３，７４が、下面フラップ７５，７６の低位部と対面すること、更に、図１のシートで後面部６１に設けられていた押罫５２が、前面部４１に設けられていること以外の構成は、図１に示す実施の形態と同様である。
【００５２】
容器本体の前面において、前被覆部の占める割合が大きいと、前被覆部２１表面と容器の前面部４１表面との段差によって、容器前面への、絵柄等のデザインが見難くなるので、大きな絵柄は、容器の後面側に印刷するのが好ましい。
しかし、使用時において、消費者は、容器本体の前面を後面などより目にする機会が多いので、容器本体の前面に、当該面の大半を占める大きな商標やその他の絵柄を印刷したいものである。
そこで、押さえ片２２ａの上下Ｕ，Ｓの幅（押さえ片構成部２２ａの前後ｆ，ｂの幅）を一定とするのではなく、図７（Ｄ）へ示す通り、容器正面に現われる第３分離線ｐ３を上下に凸となるようにカーブさせて、押さえ片２２ａに先端側よりも、上下の幅ｔ２が小さい首部分２２ｅを形成することにより、押さえ片２２ａの当該首部分のより先端側の上下の幅ｔ１を、相対的に大きなものとし、押さえ片２２ａの上下幅全体ｔを小さく抑えることができる。また、これに伴って、幅狭部９７の上下の幅も小さく形成することができる。
このようにして、前被服部の占める割合を抑制することにより、容器の前面部４１の表面に商標やその他の絵柄を印刷することができる。
【００５３】
図７（Ａ）〜（Ｄ）に示す例では、台部２２ｂは、幅狭部９７の左右２箇所に設けられ、その結果被係止用部９８を２つ備えるものとなっていた。
このほか、図９へ示す通り、ガイド部構成片９５の前方に位置する、左右の被係止部構成片９８，９８を、一体に形成して、即ち、被係止部構成片９８を、ガイド部構成片９５の全前端に沿って一繋がりに形成して実施することもできる。この場合、図示はしないが、容器組み立てによって形成される被係止用部９８は、ガイド部９５の上端９６ａ全てに対応する被係止部を提供し、ガイド部９５の上端９６ａ全域が、当該被係止部に係止される係止部（係止端）となる。
【００５４】
最後に、容器の展示との関係にて、容器の図柄などのデザインを施す面について纏めて説明する。図１に示すシート状体からなる容器では、前面部４１を正面として、当該面にキャラクタや商標などの、容器の主となる図案を印刷するのが好ましい。また、図８及び図９に示す容器では、後面部６１を正面として、当該面にキャラクタや商標などの、容器の主となる図案を印刷するのが好ましい。当該各実施の形態の上記正面に印刷することによって、起伏の少ない面へ、図案の印刷をきれいに行うことができるからである。
【図面の簡単な説明】
【００５５】
【図１】本願発明に係る容器を構成するシート状体の展開平面図である。
【図２】図１のシート状体を用いて容器を形成する過程を示す斜視図である。
【図３】図２に続く容器を形成する過程を示す斜視図である。
【図４】（Ａ）は完成した容器の斜視図であり、（Ｂ）はその腰部断面図である。
【図５】図４の容器を開封した状態を示す斜視図である。
【図６】開封後の容器の開口部を閉鎖する過程を示す斜視図である。
【図７】（Ａ）は図６の状態の容器の要部正面図であり、（Ｂ）は容器の開口部を閉鎖した状態を示す要部正面図であり、（Ｃ）は（Ａ）に示す台部を変更した状態を示す容器の要部正面図であり、（Ｄ）は（Ｂ）に示す残存部と分離部との間の分離線の位置を変更した状態を示す容器の要部正面図である。
【図８】他の実施の形態に係る容器を構成するシート状体の展開平面図である。
【図９】更に他の実施の形態に係る容器を構成するシート状体の展開平面図である。
【図１０】従来の容器の開封前の状態を示す斜視図である。
【図１１】従来の容器の開封状態を示す斜視図である。
【図１２】従来の容器の、開封後の使用状態を示す斜視図である。
【図１３】従来の容器の、開封後の開口部の閉鎖状態を示す斜視図である。
【符号の説明】
【００５６】
１０ｂ 被覆部
１１ 上被覆部
１２ 上被覆残存部
１３ 上被覆分離部
２１ 前被覆部
２２ 前被覆残存部
２２ａ 押さえ片（押さえ片構成部）
２２ｂ 台部（台部構成片）
２３ 前被覆分離部
３１ 上面部
４１ 前面部
５１ 下面部
６１ 後面部
９３ 分離部
９５ ガイド部（ガイド部構成片）
９６ 差込部
９７ 幅狭部
９８ 被係止部構成片
【図１】
0004490490.tif 000002
【図２】
0004490490.tif 000003
【図３】
0004490490.tif 000004
【図４】
0004490490.tif 000005
【図５】
0004490490.tif 000006
【図６】
0004490490.tif 000007
【図７】
0004490490.tif 000008
【図８】
0004490490.tif 000009
【図９】
0004490490.tif 000010
【図１０】
0004490490.tif 000011
【図１１】
0004490490.tif 000012
【図１２】
0004490490.tif 000013
【図１３】
0004490490.tif 000014